(57)【要約】【課題】画像形成装置の排出ガスの影響を抑え、かつ、室内の空気を効率的に清浄化することが可能な画像形成装置、画像形成装置による空気清浄方法を提供する。【解決手段】画像形成装置１００は、外形部１００ｂの上方に空気清浄装置２００を備える。空気清浄装置２００は、正イオンおよび負イオンを発生させ、画像形成装置１００が配置された空間（例えば、オフィス空間）へ放出する。空気清浄装置２００は、空気清浄装置２００から延長された回転軸２００ｓを介して支柱１９０に取り付けられ、空気放出方向制御部１４８によって空気放出方向を制御される。空気清浄装置２００は、例えばファン駆動部２１０を備え、発生させた正イオンおよび負イオンを外部（例えば、オフィス空間）へ放出することができる。【選択図】図１
2011064979.tif 000002
【特許請求の範囲】
【請求項１】
イオンを放出する空気清浄装置を備えた画像形成装置であって、
前記空気清浄装置が作用する領域に配置されたイオン濃度検知装置によって検知されたイオン濃度値を収集するイオン濃度値収集部と、
前記空気清浄装置に対する前記イオン濃度検知装置の位置関係を画定する位置関係画定部と、
前記イオン濃度値収集部が収集した前記イオン濃度値と前記位置関係画定部が画定した前記位置関係とに基づいて前記空気清浄装置の動作状態を制御する清浄動作制御部とを備えること
を特徴とする画像形成装置。
【請求項２】
請求項１に記載の画像形成装置であって、
前記イオン濃度検知装置が接続され前記領域に配置された端末装置を介して前記イオン濃度値を収集する構成とされていること
を特徴とする画像形成装置。
【請求項３】
請求項２に記載の画像形成装置であって、
前記端末装置の動作状況を検知する動作状況検知部を備え、前記清浄動作制御部は、前記動作状況検知部が検知した前記端末装置の動作状況に応じて前記空気清浄装置の動作状態を制御する構成とされていること
を特徴とする画像形成装置。
【請求項４】
請求項２または請求項３に記載の画像形成装置であって、
前記領域は複数に区分されて区分領域を構成してあり、前記イオン濃度検知装置および前記端末装置は、複数の前記区分領域それぞれに対応させてあること
を特徴とする画像形成装置。
【請求項５】
請求項１から請求項４までのいずれか一つに記載の画像形成装置であって、
前記清浄動作制御部は、前記空気清浄装置の空気放出方向、および、前記空気清浄装置のイオン放出量の少なくとも一方を制御する構成とされていること
を特徴とする画像形成装置。
【請求項６】
請求項１から請求項５までのいずれか一つに記載の画像形成装置であって、
前記空気清浄装置は、正イオンおよび負イオンを外部へ放出する構成とされていること
を特徴とする画像形成装置。
【請求項７】
請求項６に記載の画像形成装置であって、
前記空気清浄装置は、正イオンおよび負イオンを外部へ放出するファンを備えること
を特徴とする画像形成装置。
【請求項８】
請求項１から請求項７までのいずれか一つに記載の画像形成装置であって、
前記空気清浄装置は、複数のイオン発生素子を備え、前記イオン発生素子の動作数を変更する構成とされていること
を特徴とする画像形成装置。
【請求項９】
イオンを放出する空気清浄装置を備えた画像形成装置による空気清浄方法であって、
前記空気清浄装置が作用する領域に配置されたイオン濃度検知装置によって検知されたイオン濃度値を収集するイオン濃度値収集ステップと、
前記画像形成装置に対する前記イオン濃度検知装置の位置関係を画定する位置関係画定ステップと、
前記イオン濃度値収集ステップで収集した前記イオン濃度値と前記位置関係画定ステップで画定した前記位置関係とに基づいて前記空気清浄装置の動作状態を制御する清浄動作制御ステップとを備えること
を特徴とする画像形成装置による空気清浄方法。
【発明の詳細な説明】
【技術分野】
【０００１】
本発明は、イオンを放出する空気清浄装置を備えた画像形成装置、および画像形成装置による空気清浄方法に関する。
【背景技術】
【０００２】
複写機、プリンタ、ファクシミリ装置等に適用される画像形成装置として、電子写真方式のものがある。電子写真方式の画像形成装置は、静電潜像を感光体ドラム表面に形成し、トナーによって静電潜像を現像することで感光体ドラム表面にトナー像を形成する。形成したトナー像を感光体ドラムから記録用紙に転写し、記録用紙を加熱および加圧してトナー像を記録用紙上に定着させている。
【０００３】
このような画像形成装置においては、記録用紙の印刷処理に伴い排出ガスが生じることがある。この排出ガスの主成分は、記録用紙から発生すると推定されるロンギフォレン等である。
【０００４】
現在では、画像形成装置は必須のＯＡ機器であって、殆どのオフィスに設置され、更には家庭や病院にも普及しつつある。したがって、画像形成装置からの排出ガスは、できるだけ除去することが望まれる。
【０００５】
例えば、特許文献１に開示された技術は、送風ファン、マイナスイオン発生部、およびプラスに帯電されたフィルター等を画像形成装置の内部に設け、内部で発生したトナー粉、塵埃をマイナスに帯電させて、マイナス帯電のトナー粉、塵埃をプラス帯電のフィルターに吸着させ、画像形成装置の外部に放出される排出物を低減している。同時に、画像形成装置の外部から侵入しようとする塵埃、カビ等をマイナスに帯電させて、これらもプラス帯電のフィルターに吸着させ、装置外部からの有害物質の侵入を抑制している。
【０００６】
一方、オフィス、家庭、病院等においては、室内の空気を浄化する空気清浄装置が普及しつつある。また、オフィス内で、パーソナルコンピュータを使用して業務を行っている人が多く、在席している人の周りでは、空気を清浄にしておくことが望まれている。
【０００７】
例えば、特許文献２に開示された技術は、正負イオンを同時に発生して、正負イオンにより空気中の浮遊細菌を効果的に除去している。なお、特許文献２では、イオン発生素子に関するさらに詳細な技術が開示されている。
【０００８】
また、特許文献３に開示された技術は、イオン発生装置の制御形態として、人体センサによって人がいると判断した場合は冷蔵庫のイオン発生装置を運転し、いないと判断した場合は停止している。
【先行技術文献】
【特許文献】
【０００９】
【特許文献１】特開２００５−４１４４号公報
【特許文献２】特開２００２−５８７３１号公報
【特許文献３】特開２００４−４４９８８号公報
【発明の概要】
【発明が解決しようとする課題】
【００１０】
しかしながら、特許文献１に開示された技術では、画像形成装置の複写に直接係わらないマイナスイオン発生部を設ける必要があり、装置の大型化やコスト増大の原因となった。また、特許文献２に開示された技術では、室内の空気を浄化することができても、画像形成装置の排出ガスを浄化することができるわけではなかった。
【００１１】
更に、特許文献１に係る高いコストの画像形成装置と、特許文献２に係る空気清浄装置を共に設けるのは、非常に不経済である。
【００１２】
特許文献３に開示された技術では、人がいた場合、冷蔵庫が設置されている部屋に常にイオンを発生させており、冷蔵庫が設置されている空間領域で、区分領域ごとの濃度までは検知できないので、効率と省エネの上で課題がある。
【００１３】
本発明はこのような状況に鑑みてなされたものであり、画像形成装置の排出ガスの影響を抑え、かつ、室内の空気を効率的に清浄化することが可能な画像形成装置、画像形成装置による空気清浄方法を提供することを目的とする。
【課題を解決するための手段】
【００１４】
本発明に係る画像形成装置は、イオンを放出する空気清浄装置を備えた画像形成装置であって、前記空気清浄装置が作用する領域に配置されたイオン濃度検知装置によって検知されたイオン濃度値を収集するイオン濃度値収集部と、前記空気清浄装置に対する前記イオン濃度検知装置の位置関係を画定する位置関係画定部と、前記イオン濃度値収集部が収集した前記イオン濃度値と前記位置関係画定部が画定した前記位置関係とに基づいて前記空気清浄装置の動作状態を制御する清浄動作制御部とを備えることを特徴とする。
【００１５】
したがって、本発明に係る画像形成装置は、空気清浄装置を作用させる領域でのイオン濃度値の状況に応じて空気清浄装置の動作状態を制御することから、空気清浄装置が作用する領域に対してイオンを効果的に供給して分布させることができる。つまり、効果的に空気清浄装置を運転して空気状態を快適で衛生的な状態に維持することが可能となる。
【００１６】
本発明に係る画像形成装置では、前記イオン濃度検知装置が接続され前記領域に配置された端末装置を介して前記イオン濃度値を収集する構成とされていることを特徴とする。
【００１７】
したがって、本発明に係る画像形成装置は、イオン濃度検知装置が接続された端末装置を介してイオン濃度値を収集することから、イオン濃度検知装置に対する接続を簡略化することができる。
【００１８】
本発明に係る画像形成装置では、前記端末装置の動作状況を検知する動作状況検知部を備え、前記清浄動作制御部は、前記動作状況検知部が検知した前記端末装置の動作状況に応じて前記空気清浄装置の動作状態を制御する構成とされていることを特徴とする。
【００１９】
したがって、本発明に係る画像形成装置は、端末装置の動作状況によって端末装置を操作する操作者の存否を判定して空気清浄装置の動作状態を制御することができる。つまり、端末装置が動作していないときは操作者が不在であると判断して空気清浄装置の動作を例えば抑制するように制御し、端末装置が動作しているときは操作者が在席していると判断して空気清浄装置の動作を例えば増強するように制御する。したがって、操作者が居る領域に対して効果的に空気清浄装置を作用させることが可能となるので、イオン濃度の制御を効率的に行うことができる。
【００２０】
本発明に係る画像形成装置では、前記領域は複数に区分されて区分領域を構成してあり、前記イオン濃度検知装置および前記端末装置は、複数の前記区分領域それぞれに対応させてあることを特徴とする。
【００２１】
したがって、本発明に係る画像形成装置は、区分領域に対応させてイオン濃度、さらには、端末装置の動作状況を把握することが可能となり、高精度に空気清浄装置を制御することができる。
【００２２】
本発明に係る画像形成装置では、前記清浄動作制御部は、前記空気清浄装置の空気放出方向、および、前記空気清浄装置のイオン放出量の少なくとも一方を制御する構成とされていることを特徴とする。
【００２３】
したがって、本発明に係る画像形成装置は、空気放出方向を制御することによって、領域（区分領域）に対応させて空気清浄装置を作用させることができ、また、イオン放出量を制御することによって、領域（区分領域）でのイオン濃度に対応させて空気清浄装置を作用させることができるので、空気清浄化の対象である領域（区分領域）に対して必要性に応じて高精度に空気清浄装置を作用させることが可能となる。
【００２４】
本発明に係る画像形成装置では、前記空気清浄装置は、正イオンおよび負イオンを外部へ放出する構成とされていることを特徴とする。
【００２５】
したがって、本発明に係る画像形成装置は、正イオンおよび負イオンによって空気中の浮遊細菌を除去することが可能となり、空気の浄化を効果的に行うことができる。また、画像形成装置で発生するガスを適宜処理することができる。
【００２６】
本発明に係る画像形成装置では、前記空気清浄装置は、正イオンおよび負イオンを外部へ放出するファンを備えることを特徴とする。
【００２７】
したがって、本発明に係る画像形成装置は、ファンの回転数を制御することによって、イオンの放出量を容易に、かつ効率的に調整することができる。
【００２８】
本発明に係る画像形成装置では、前記空気清浄装置は、複数のイオン発生素子を備え、前記イオン発生素子の動作数を変更する構成とされていることを特徴とする。
【００２９】
したがって、本発明に係る画像形成装置は、空気中のイオン濃度値に応じてイオン発生素子の動作数を変更できることから、効率的、効果的な動作状態とし、省エネルギー状態を実現することができる。
【００３０】
本発明に係る画像形成装置による空気清浄方法は、イオンを放出する空気清浄装置を備えた画像形成装置による空気清浄方法であって、前記空気清浄装置が作用する領域に配置されたイオン濃度検知装置によって検知されたイオン濃度値を収集するイオン濃度値収集ステップと、前記画像形成装置に対する前記イオン濃度検知装置の位置関係を画定する位置関係画定ステップと、前記イオン濃度値収集ステップで収集した前記イオン濃度値と前記位置関係画定ステップで画定した前記位置関係とに基づいて前記空気清浄装置の動作状態を制御する清浄動作制御ステップとを備えることを特徴とする。
【００３１】
したがって、本発明に係る画像形成装置による空気清浄方法は、空気清浄装置を作用させる領域でのイオン濃度値の状況に応じて空気清浄装置の動作状態を制御することから、空気清浄装置が作用する領域に対してイオンを効果的に供給して分布させることができる。つまり、効果的に空気清浄装置を運転して空気状態を快適で衛生的な状態に維持することが可能となる。
【発明の効果】
【００３２】
本発明は、イオンを放出する空気清浄装置を備えた画像形成装置であって、空気清浄装置が作用する領域に配置されたイオン濃度検知装置によって検知されたイオン濃度値を収集するイオン濃度値収集部と、空気清浄装置に対するイオン濃度検知装置の位置関係を画定する位置関係画定部と、イオン濃度値収集部が収集したイオン濃度値と位置関係画定部が画定した位置関係とに基づいて空気清浄装置の動作状態を制御する清浄動作制御部とを備えることを特徴とする。
【００３３】
したがって、本発明に係る画像形成装置は、空気清浄装置を作用させる領域でのイオン濃度値の状況に応じて空気清浄装置の動作状態を制御することから、空気清浄装置が作用する領域に対してイオンを効果的に供給して分布させることができる。つまり、効果的に空気清浄装置を運転して空気状態を快適で衛生的な状態に維持することが可能となるという効果を奏する。
【００３４】
本発明は、イオンを放出する空気清浄装置を備えた画像形成装置による空気清浄方法であって、空気清浄装置が作用する領域に配置されたイオン濃度検知装置によって検知されたイオン濃度値を収集するイオン濃度値収集ステップと、画像形成装置に対するイオン濃度検知装置の位置関係を画定する位置関係画定ステップと、イオン濃度値収集ステップで収集したイオン濃度値と位置関係画定ステップで画定した位置関係とに基づいて空気清浄装置の動作状態を制御する清浄動作制御ステップとを備えることを特徴とする。
【００３５】
したがって、本発明に係る画像形成装置による空気清浄方法は、空気清浄装置を作用させる領域でのイオン濃度値の状況に応じて空気清浄装置の動作状態を制御することから、空気清浄装置が作用する領域に対してイオンを効果的に供給して分布させることができる。つまり、効果的に空気清浄装置を運転して空気状態を快適で衛生的な状態に維持することが可能となるという効果を奏する。
【図面の簡単な説明】
【００３６】
【図１】本発明の実施の形態１に係る画像形成装置の概略構成を正面側から透視した状態として示す透視正面図である。
【図２】図１に示した空気清浄装置の空気放出方向の状態を模式的に示す斜視図であり、（Ａ）は、空気放出方向を画像形成装置の周囲に向けた場合を示し、（Ｂ）は、空気放出方向を上方に向けた場合を示す。
【図３】本発明の実施の形態２に係る空気清浄装置の空気吸入方向および空気放出方向を含む平面での断面を示す断面図である。
【図４】図３に示した空気清浄装置の矢符Ｘ方向から見たイオン発生素子の正面配置状態を概念的に示す正面図である。
【図５】図１に示した画像形成装置に実施の形態２に係る空気清浄装置を適用したときの空気吸入方向および空気放出方向の実施例を示す概念図である。
【図６】図１に示した画像形成装置に実施の形態２に係る空気清浄装置を適用したときの空気吸入方向および空気放出方向の実施例を示す概念図である。
【図７】本発明の実施の形態３に係る空気清浄装置の空気吸入方向および空気放出方向を含む平面での断面を第１開閉状態として示す断面図である。
【図８】本発明の実施の形態３に係る空気清浄装置の空気吸入方向および空気放出方向を含む平面での断面を第２開閉状態として示す断面図である。
【図９】本発明の実施の形態４に係る画像形成装置での空気清浄装置の取り付け状態を示す斜視図である。
【図１０】図９に示した空気清浄装置の空気放出方向の第１開閉状態を模式的に示す模式側面図である。
【図１１】図９に示した空気清浄装置の空気放出方向の第２開閉状態を模式的に示す模式側面図である。
【図１２】本発明の実施の形態５に係る画像形成装置の空間での配置状況を示すレイアウト図である。
【図１３】図１２に示した画像形成装置の配置状況を区分領域に対応させて示すレイアウト図である。
【図１４】図１３に示した空間での画像形成装置およびイオン濃度検知装置の配置状況を区分領域に対応させて示す一覧表である。
【図１５】図１２に示した画像形成装置の水平方向での往復回動を説明する斜視図である。
【図１６】本発明の実施の形態６に係る画像形成装置の機能ブロックを概念的にブロック図である。
【図１７】本発明の実施の形態６に係る画像形成装置での検出したイオン濃度に対する清浄動作制御の処理状態を示すフローチャートである。
【図１８】本発明の実施の形態７に係る画像形成装置での端末装置の動作状況に対する清浄動作制御の処理状態（その１）を示すフローチャートである。
【図１９】本発明の実施の形態７に係る画像形成装置での端末装置の動作状況に対する清浄動作制御の処理状態（その２）を示すフローチャートである。
【図２０】本発明の実施の形態７に係る画像形成装置での端末装置の動作状況に対する清浄動作制御の処理状態（その３）を示すフローチャートである。
【発明を実施するための形態】
【００３７】
以下、本発明の実施の形態を図面に基づいて説明する。
【００３８】
＜実施の形態１＞
図１および図２に基づいて、本実施の形態に係る画像形成装置について説明する。
【００３９】
図１は、本発明の実施の形態１に係る画像形成装置の概略構成を正面側から透視した状態として示す透視正面図である。なお、正面とは、操作者側、つまり前面である。
【００４０】
本実施の形態に係る画像形成装置１００は、原稿画像を読み取って記録用紙に原稿画像を再現する基本的な機能を実現するために、例えば、画像読取装置１０２、レーザ露光装置１０４、現像装置１０６、感光体ドラム１０７、中間転写部１０８、２次転写装置１１０、定着装置１１２、給紙トレイ１１４を備える。
【００４１】
画像読取装置１０２は、原稿画像を読み取って画像データを取得する。レーザ露光装置１０４は、画像読取装置１０２が読み取った画像データに基づいて、感光体ドラム１０７を露光し感光体ドラム１０７の表面に潜像を形成する。現像装置１０６は、感光体ドラム１０７に形成された静電潜像を現像する。中間転写部１０８は、無端ベルト状とされ、移動しながら４個（黒Ｋ、シアンＣ、マゼンタＭ、イエローＹの４色に対応）の感光体ドラム１０７に順次接触することによって、感光体ドラム１０７の表面の静電潜像を順次重ねてトナー像として転写する。
【００４２】
２次転写装置１１０は、中間転写部１０８に転写されたトナー像を記録用紙に転写する。定着装置１１２は、２次転写装置１１０で記録用紙に転写されたトナー像を定着し、原稿画像を記録用紙に再現（画像形成：複写）する。原稿画像が再現された記録用紙は、用紙排出トレイ１１６へ排紙される。記録用紙は、給紙トレイ１１４から２次転写装置１１０へ供給される。
【００４３】
なお、以上では、画像読取装置１０２で原稿画像を読み取った場合の画像形成について説明したが、電子データとして外部から送信された画像データをレーザ露光装置１０４に入力して同様に原稿画像を記録用紙に再現（画像形成：印刷）することも可能である。また、ファクシミリの出力部（画像形成装置）として適用することも可能である。
【００４４】
画像形成装置１００は、画像形成装置としての機能を制御するために制御部１３０を備える。制御部１３０は、例えばＣＰＵ（中央処理装置）を備えて、画像読取装置１０２、レーザ露光装置１０４、現像装置１０６、感光体ドラム１０７、中間転写部１０８、２次転写装置１１０、定着装置１１２の動作を制御する。
【００４５】
つまり、制御部１３０は、画像形成装置１００全体の制御を司っており、電源スイッチがオンになると、予め設定された手順で画像形成装置１００の各部を駆動制御して、画像形成装置１００を動作前の待機状態に設定する。
【００４６】
待機状態となっている場合は、操作パネル１３２の入力操作により原稿画像の複写を指示することができる。制御部１３０は、操作パネル１３２の入力操作に基づく複写を指示する印刷指示信号を入力すると、この印刷指示信号に応答して画像形成装置１００の動作を開始して、画像形成装置１００の動作状態を設定し、原稿画像を読取り、読取った原稿画像を記録用紙に複写する。つまり、画像形成装置１００は、複写機として機能する。
【００４７】
また、画像形成装置１００は、ネットワークＮＷに接続されたインターフェース（Ｉ／Ｆ）１３４を備えており、ネットワークＮＷを通じてパーソナルコンピュータ等の外部の端末装置ＰＣ（図１２参照）に接続され、インターフェース１３４で端末装置ＰＣからの画像データおよび印刷指示信号を受信する。
【００４８】
制御部１３０は、インターフェース１３４が受信した画像データおよび印刷指示信号に対して画像形成装置１００の動作を開始する。制御部１３０は、画像形成装置１００の動作状態を設定し、端末装置ＰＣから送信された画像データに対応する画像を記録用紙に印刷する。つまり、画像形成装置１００は、プリンタとして機能する。
【００４９】
なお、印刷処理が終了した後、印刷処理が実行されないまま一定時間が経過すると、画像形成装置１００は、再び待機状態となり、次の印刷指示信号の入力まで待機する。ここで、待機状態とは、印刷処理が実行されていない状態であって、直ちに印刷処理の実行に移れる状態である。
【００５０】
画像形成装置１００は、上述したとおりの電子写真方式により記録用紙への画像形成を行うことから、加熱に起因する排出ガスが生じることがある。排出ガスの主成分は、記録用紙から発生すると推定されるロンギフォレン等である。排出ガスは、画像形成装置１００の外へ排出される。
【００５１】
本実施の形態に係る画像形成装置１００は、外形部１００ｂの上方に空気清浄装置２００を備える。空気清浄装置２００は、正イオンおよび負イオンを発生させ、正イオンおよび負イオンを画像形成装置１００が配置された空間（例えば、オフィス空間）へ放出することができる。
【００５２】
画像形成装置１００と空気清浄装置２００とを結合していることから、空気清浄装置２００が作用する領域の空間（例えば、オフィス空間）を有効利用することができる。また、画像形成装置１００で発生したガスに対するイオン（正イオンおよび負イオン）による処理が可能となり、また、空気清浄装置２００を作用させる空間での除菌（空気清浄化）を効率的に実施することができる。
【００５３】
空気清浄装置２００から放出された正イオンおよび負イオンは、空間へ分散され、空間での除菌作用を行うことができる。また、画像形成装置１００の周囲に分散された正イオンおよび負イオンは、画像形成装置１００の周囲にエアーカーテンを形成し、画像形成装置１００で発生した排出ガスに対するイオンによる処理を施すことから空気の正常化を実行することができる。特に前面に正イオンおよび負イオンを分散させた場合は、画像形成装置１００を操作する操作者に対して有効に作用させることができる。
【００５４】
なお、画像形成装置１００の周囲に正イオンおよび負イオンを分散（分布）させることによって、画像形成装置１００から発生する排出ガスの影響を効果的に抑制できることを実験的に確認した。
【００５５】
空気清浄装置２００は、空気清浄装置２００から延長された回転軸２００ｓを介して支柱１９０に取り付けられ、空気放出方向制御部１４８によって空気放出方向を制御される。空気清浄装置２００は、例えばファン駆動部２１０を備え、発生させた正イオンおよび負イオン（以下、正イオンおよび負イオンを単に正負イオン、あるいは単にイオンということがある。）を外部（例えば、オフィス空間）へ放出することができる。
【００５６】
空気清浄装置２００は、一端側に突出して配置された回転軸２００ｓを介して支柱１９０の上端に支持されている。つまり、空気清浄装置２００は、支柱１９０によって水平方向に片持ちされている。したがって、画像形成装置１００の上方スペースが開放され、画像形成装置１００の使い勝手を損なわずに済む。
【００５７】
また、空気清浄装置２００は、回転軸２００ｓの軸心を回転中心として回転できることから、回転軸２００ｓを中心とした円周方向で回転することができる。また、空気放出方向制御部１４８は、回転軸２００ｓを中心として空気清浄装置２００の回転位置を制御する構成とされている。空気放出方向制御部１４８は、具体的にはモータ駆動ユニットで構成されている。したがって、空気清浄装置２００は、空気放出方向制御部１４８、回転軸２００ｓによって、適宜の回転角度で回動することができる。
【００５８】
なお、空気清浄装置２００の回転位置については、図２でさらに説明する。
【００５９】
図２は、図１に示した空気清浄装置の空気放出方向の状態を模式的に示す斜視図であり、（Ａ）は、空気放出方向を画像形成装置の周囲に向けた場合を示し、（Ｂ）は、空気放出方向を上方に向けた場合を示す。
【００６０】
支柱１９０は、画像形成装置１００（外形部１００ｂ）の背面片側のコーナー１００ｃに配置されている。図１で説明したとおり、空気清浄装置２００は、支柱１９０の上端に回転軸２００ｓを介して取り付けられている。また、回転軸２００ｓは、空気放出方向制御部１４８によって適宜の回転角度で垂直方向での往復回動Ｒｏｔｖで回転（往復回転）することができる。つまり、空気放出方向制御部１４８は、空気清浄装置２００からの空気放出方向（イオンの放出方向）を一定の範囲内で調整することができる。あるいは、往復回動Ｒｏｔｖの両端位置を交互に選択して切り替える形態とすることも可能である。
【００６１】
なお、空気放出方向制御部１４８は、画像形成装置１００に内蔵された制御部１３０に接続され、制御部１３０によって駆動制御される。また、制御部１３０は、空気放出方向制御部１４８の制御だけではなく、画像形成装置１００全体の制御を実行できる。したがって、画像形成装置１００の動作状態に応じて空気放出方向制御部１４８を駆動制御して、空気清浄装置２００の回転位置を制御することが可能である。
【００６２】
画像形成装置１００は、外形部１００ｂの背面側が壁等に向けて配置されるように構成されている。また、空気清浄装置２００は、画像形成装置１００の背面側に設けられている。したがって、空気清浄装置２００は、壁際に配置されることになり、画像形成装置１００の配置に対して邪魔になることはない。
【００６３】
画像形成装置１００が稼動状態の場合は、画像形成装置１００による排出ガスが発生することがある。したがって、画像形成装置１００の周囲に正負イオンを分散させて画像形成装置１００からの排出ガスを迅速に処理し、排出ガスの拡散を防止することが望ましい。つまり、画像形成装置１００が稼動しているときは、空気清浄装置２００から斜め下向き方向の放出空気流ＡＦｏｄ（図２（Ａ））によって正負イオンが放出されるようにすることが望ましい。
【００６４】
図２（Ａ）では、正負イオンの放出方向を空気清浄装置２００から斜め下向きの放出空気流ＡＦｏｄに設定したが、図示した放出空気流ＡＦｏｄに限らず、正負イオンが画像形成装置１００を覆うように画像形成装置１００に向けて分散（分布）されれば、正負イオンの放出方向自体は他の方向を向いていてもよい。
【００６５】
画像形成装置１００が待機状態の場合は、画像形成装置１００による排出ガスは発生しない。したがって、空気清浄装置２００からの正負イオンの放出方向は、画像形成装置１００に対して反対方向である空気清浄装置２００の上側方向の放出空気流ＡＦｏｖ（図２（Ｂ））と重畳させることが望ましい。つまり、放出空気流ＡＦｏｖに正負イオンを重畳させて放出することによって、正負イオンを室内全体に広く拡散させることが望ましい。正負イオンを室内全体に広く拡散させることから、正負イオンによって空気中の浮遊細菌を除去し、空気の浄化を広い範囲で実行することが可能となる。
【００６６】
図２（Ｂ）では、正負イオンの放出方向を空気清浄装置２００から上側方向の放出空気流ＡＦｏｖに重畳させて設定したが、上側方向の放出空気流ＡＦｏｖに限らず、正負イオンが空気清浄装置２００の水平位置（図２（Ｂ）の一点鎖線で示す位置）から上側の範囲Ｙｖに向けて分散（分布）されれば、正負イオンの放出方向は、いずれの方向を向いていてもよい。
【００６７】
＜実施の形態２＞
図３ないし図６に基づいて、本実施の形態に係る空気清浄装置について説明する。なお、空気清浄装置の基本的な構成は、実施の形態１で示した空気清浄装置２００と同様であるので、符号を適宜援用し、主に異なる事項について説明する。
【００６８】
図３は、本発明の実施の形態２に係る空気清浄装置の空気吸入方向および空気放出方向を含む平面での断面を示す断面図である。
【００６９】
本実施の形態に係る空気清浄装置２００は、外形構造を構成する筐体２５０、外形構造の基礎となる基本構造部２５０ｂ、外形構造の放出側となる放出構造部２５０ｔを備えている。また、空気清浄装置２００は、基本構造部２５０ｂに配置されたファンユニット２５２、基本構造部２５０ｂの外壁に配置された吸入面２５４、吸入面２５４に形成された複数の吸入孔２５４ｈ、吸入孔２５４ｈとファンユニット２５２の吸入口２５２ｍとの間に配置された吸入ダクト２５６、放出構造部２５０ｔに形成された吹き出し口２５８とファンユニット２５２のファン吹き出し口２６０との間に配置された吹き出しダクト２６２、および、ファンユニット２５２の周囲に配置された素子配置部２６４に組み込まれた複数のイオン発生素子２６６を備えている。
【００７０】
空気清浄装置２００は、画像形成装置１００の幅方向に沿わせた長い形状としてある（図１参照）。したがって、筐体２５０、ファンユニット２５２、吸入面２５４、吸入ダクト２５６、ファン吹き出し口２６０、吹き出しダクト２６２、および素子配置部２６４は、画像形成装置１００の幅方向に長く形成（配置）されている。また、イオン発生素子２６６は、素子配置部２６４に沿わせて画像形成装置１００の幅方向に配列されている。吸入孔２５４ｈは、吸入面２５４で画像形成装置１００の幅方向に沿わせて多数形成されている。
【００７１】
ファンユニット２５２のファン２６８は、モータで構成されるファン駆動部２１０（図１６参照）により回転駆動され、ファンユニット２５２の内部にファン空気流ＡＦｆを発生する。したがって、ファンユニット２５２は、外部の空気を吸入孔２５４ｈおよび吸入ダクト２５６を通じて流入空気流ＡＦｉｎとして吸入し、吸入した空気をイオン発生素子２６６の近傍を通過させて正負イオンを含有させる。正負イオンを含有した空気は、ダクト空気流ＡＦｄｔとしてファン吹き出し口２６０を通過し、吹き出しダクト２６２を通過して吹き出し口２５８から放出空気流ＡＦｏｕｔとして外部へ放出される。ファン２６８を駆動するファン駆動部２１０（図１６参照）は、空気放出方向制御部１４８と同様に、制御部１３０に接続され、制御部１３０により駆動制御される。
【００７２】
上述したとおり、イオン発生素子２６６（空気清浄装置２００）は、正イオンおよび負イオンを外部へ放出する構成とされている。したがって、画像形成装置１００は、正イオンおよび負イオンによって空気中の浮遊細菌を除去することが可能となり、空気の浄化を効果的に行うことができる。
【００７３】
また、画像形成装置１００で発生するガスを適宜処理することができる。空気清浄装置２００（空気清浄装置２００Ａ）は、正イオンおよび負イオンを外部へ放出するファン２６８を備える。したがって、ファン２６８の回転数を制御することによって、イオンの放出量を容易に、かつ効率的に調整することができる。
【００７４】
このような、正負イオンによる空気（空間）に対する衛生上の効果（除菌、滅菌）は、本件出願人によって種々の適用分野で確認されている。
【００７５】
図４は、図３に示した空気清浄装置の矢符Ｘ方向から見たイオン発生素子の正面配置状態を概念的に示す正面図である。
【００７６】
イオン発生素子２６６は、上述したとおり、画像形成装置１００の幅方向で素子配置部２６４に複数個配列されている。イオン発生素子２６６は、正イオンを発生する一対の正イオン発生部２６６ｐと、負イオンを発生する一対の負イオン発生部２６６ｍとを備えている。イオン発生素子２６６により発生された正イオンおよび負イオンは、ファン２６８が発生したファン空気流ＡＦｆと共に吹き出しダクト２６２を経由して吹き出し口２５８から放出される。（イオン発生素子に関する貴社公開公報は、先行特許文献の位置へ移しました。）
なお、イオン発生素子２６６は、正負イオンを発生するための高電圧を発生するイオン発生素子駆動部２２０によって駆動され、適宜の正負イオンを発生することができる。イオン発生素子駆動部２２０は、制御部１３０（清浄動作制御部１４６、イオン発生素子制御部１５２。図１６参照）によって制御される。
【００７７】
つまり、イオン発生素子制御部１５２からの制御信号に基づいてイオン発生素子駆動部２２０は、イオン発生素子２６６を制御する。したがって、複数配置されたイオン発生素子２６６の動作数を変更することによって、空気中のイオン濃度を変更することができるので、イオン発生素子２６６の動作数を増やすことによって、空間への正負イオンのイオン放出量を増強することができる。
【００７８】
空気清浄装置２００（空気清浄装置２００Ａ）は、複数のイオン発生素子２６６を備え、イオン発生素子２６６の動作数を変更する構成とされている。したがって、画像形成装置１００は、空気中のイオン濃度値に応じてイオン発生素子２６６の動作数を変更することから、効率的、効果的な動作状態とし、省エネルギー状態を実現することができる。
【００７９】
図５は、図１に示した画像形成装置に実施の形態２に係る空気清浄装置を適用したときの空気吸入方向および空気放出方向の実施例を示す概念図である。
【００８０】
制御部１３０は、画像形成装置１００を例えば待機状態に設定した場合、空気放出方向制御部１４８を駆動制御して、空気清浄装置２００の回転位置を制御し、放出空気流ＡＦｏｕｔを垂直方向で上方側へ向けることが望ましい。なお、このような制御は、制御部１３０と連携するように配置されたプログラムメモリ（図１６参照）に予め制御プログラムを記憶させておくことで実行することができる。
【００８１】
なお、流入空気流ＡＦｉｎは、水平方向から流入する形態となっている。つまり、図５での空気の放出方向の状態は、図２（Ｂ）の場合と同様となる。
【００８２】
放出空気流ＡＦｏｕｔが上方側へ向けられた場合、正負イオンは空間の天井側へ拡散した後、空気流に乗って室内全体を覆うように拡散する。したがって、空間全体（室内全体）で、正負イオンにより空気中の浮遊細菌が除去されるので、広い範囲で空気の浄化が行われる。
【００８３】
一般に、画像形成装置１００で待機状態となっている時間は、動作状態となっている時間よりも長くなる。画像形成装置１００が待機状態となっているときに、正負イオンを室内空間全体に供給して拡散させれば、室内の空気の浄化は、より効果的になされる。
【００８４】
制御部１３０は、空気放出方向制御部１４８を駆動制御することによって空気清浄装置２００を回転軸２００ｓの円周方向の一定角度範囲で往復回転させてもよい（例えば、図２（Ａ）の状態と図２（Ｂ）の状態との間での往復回転をさせることができる）。すなわち、空気清浄装置２００の放出空気流ＡＦｏｕｔがスイングするように動作させる。つまり、スイング動作をさせることによって、正負イオンの放出範囲をさらに広げることができ、さらに効果的に正負イオンを作用させることができる。
【００８５】
制御部１３０は、ファンユニット２５２のファン２６８を駆動するファン駆動部２１０（図１６参照）を構成するモータの回転速度を調整することができる。モータの回転速度を早くした場合は、空気清浄装置２００からの空気の放出速度および放出量を増大させることになり、正負イオンの放出量をさらに増大することができる。正負イオンの放出量を増大させることによって、正負イオンをさらに広く拡散することが可能となり、空気の清浄度をさらに向上させることができる。
【００８６】
つまり、ファン２６８の回転数を変えることにより、風量を変更することが可能であり、イオン放出量を変えることが可能となる。したがって、ファン２６８の回転数を高くすると、イオン放出量を増強（増強制御）することができる。また風量が増加することによって、正負イオンを遠方へ放出することができる。
【００８７】
図６は、図１に示した画像形成装置に実施の形態２に係る空気清浄装置を適用したときの空気吸入方向および空気放出方向の実施例を示す概念図である。
【００８８】
制御部１３０は、画像形成装置１００を例えば動作状態に設定した場合、空気放出方向制御部１４８を駆動制御して、空気清浄装置２００の回転位置を制御し、放出空気流ＡＦｏｕｔを斜め下方側へ向けることが望ましい。なお、このような制御は、制御部１３０と連携するように配置されたプログラムメモリ１３８（図１６参照）に予め制御プログラムを記憶させておくことで実行することができる。
【００８９】
なお、流入空気流ＡＦｉｎは、略垂直方向（斜め上方方向）から流入する形態となっている。つまり、図６での空気の放出方向の状態は、図２（Ａ）と同様となる。
【００９０】
放出空気流ＡＦｏｕｔが斜め下方側へ向けられた場合、正負イオンは、画像形成装置１００の前面側を主に覆うこととなる。したがって、画像形成装置１００からの排出ガスを有効に処理して排出ガスによる室内空間への影響を抑制し、室内空間の空気を清浄に維持することができる。
【００９１】
通常、利用者は、画像形成装置１００（外形部１００ｂ）の前面側に立つことから、放出空気流ＡＦｏｕｔが斜め下方側へ向くように空気清浄装置２００を制御して、正負イオンを斜め下方側へ放出すれば、画像形成装置１００の前面側を多くの正負イオンで覆うことが可能となり、利用者周辺での排出ガスの影響を効果的に抑制することができる。
【００９２】
制御部１３０は、空気放出方向制御部１４８を駆動制御することによって空気清浄装置２００を回転軸２００ｓの円周方向の一定角度範囲で往復回転させてもよい。すなわち、空気清浄装置２００の放出空気流ＡＦｏｕｔをスイング動作させてもよい。つまり、スイング動作をさせることによって、正負イオンの放出範囲をさらに広げることができ、さらに効果的に正負イオンを作用させることができる。
【００９３】
上述したとおり、制御部１３０は、ファンユニット２５２のファン２６８を駆動するファン駆動部２１０（図１６参照）を構成するモータの回転速度を調整することができる。モータの回転速度を遅くした場合は、空気清浄装置２００からの空気の放出速度および放出量を抑制（低減）することになり、放出空気流ＡＦｏｕｔは、徐々に下方へ曲がる曲線を描き、放出された空気は、画像形成装置１００の外形部１００ｂに沿って下降する。
【００９４】
つまり、空気清浄装置２００から放出された空気は、画像形成装置１００の前面側に立った利用者に強く吹き付けられることがないので、正負イオンを穏やかに拡散させて、正負イオンにより画像形成装置１００の前面側を確実に覆うことが可能になる。
【００９５】
上述したとおり、ファン２６８の回転数を変えることにより、風量を変更することが可能であり、イオン放出量を変えることが可能となる。つまり、ファン２６８の回転数を低くすると、イオン放出量を抑制（抑制制御）することができる。また、風量が抑制されることによって、正負イオンを画像形成装置１００の近辺側へ放出して分布させることができる。
【００９６】
上述したとおり、本実施の形態では、画像形成装置１００の待機状態および動作状態に応じて、空気清浄装置２００からの放出空気流ＡＦｏｕｔの方向を制御することができる。つまり、空気清浄装置２００で発生した正負イオンの放出方向を変更することから、待機状態のときには空気の浄化を行い、動作状態のときには排出ガスを処理することができるので、１台の空気清浄装置２００を２役で機能させることができる。
【００９７】
また、エアーカーテンのように正負イオンで画像形成装置１００を覆った場合、画像形成装置１００の排出ガスの影響を効果的に抑えられることを実験で確認した。したがって、空気清浄装置２００は、画像形成装置１００の外側に配置された場合でも十分に作用させることができるので、画像形成装置１００の大型化を避けることができる。また、空気清浄装置２００により室内の空気を浄化することができるので、空気清浄装置を別途設ける必要がなく、室内の空間を有効利用することができ、また設備費用を節減することができる。
【００９８】
＜実施の形態３＞
図７および図８に基づいて、本実施の形態に係る空気清浄装置について説明する。なお、空気清浄装置の基本的な構成は、実施の形態２で説明した空気清浄装置２００と同様であるので、符号を適宜援用し、主に異なる事項について説明する。
【００９９】
図７は、本発明の実施の形態３に係る空気清浄装置の空気吸入方向および空気放出方向を含む平面での断面を第１開閉状態として示す断面図である。
【０１００】
図８は、本発明の実施の形態３に係る空気清浄装置の空気吸入方向および空気放出方向を含む平面での断面を第２開閉状態として示す断面図である。
【０１０１】
本実施の形態に係る空気清浄装置２００Ａは、実施の形態２に係る空気清浄装置２００が有する吹き出しダクト２６２に代えて、相互に対向する第１可動ダクト壁２７０および第２可動ダクト壁２７２を備えている。つまり、第１可動ダクト壁２７０は、駆動軸２７０ｓを回転中心として第１開閉方向ＭＶ１で開閉動作（往復両端への配置）を行い、第２可動ダクト壁２７２は、駆動軸２７２ｓを回転中心として第２開閉方向ＭＶ２で開閉動作（往復両端への配置）を行う。
【０１０２】
したがって、空気清浄装置２００Ａは、空気清浄装置２００が有する吹き出し口２５８と同様の状態を第１開閉状態（第１位置決め状態。図７）として実現し、吹き出し口２５８を閉鎖して新たな吹き出し口としての吹き出し口２５８Ａを筐体２５０の側面に構成した状態を第２開閉状態（第２位置決め状態。図８）として実現する。
【０１０３】
吹き出し口２５８Ａは、相互に対向する第１可動ダクト壁２７０および第２可動ダクト壁２７２によって構成される。第１可動ダクト壁２７０は、吹き出し口２５８の側に配置された駆動軸２７０ｓを枢軸として回動するように制御され、第２可動ダクト壁２７２は、ファンユニット２５２のファン吹き出し口２６０の側に配置された駆動軸２７２ｓを枢軸として回動するように制御される。
【０１０４】
第１可動ダクト壁２７０および第２可動ダクト壁２７２は、ダクト壁駆動部２３０（図１６参照）によって駆動制御される。ダクト壁駆動部２３０は、駆動軸２７０ｓおよび駆動軸２７２ｓを同時に回転駆動することによって、第１可動ダクト壁２７０および第２可動ダクト壁２７２を同時に制御し、第１位置決め状態（図７）および第２位置決め状態（図８）を選択的に実現する。
【０１０５】
制御部１３０は、画像形成装置１００の待機状態および動作状態に応じて第１位置決め状態および第２位置決め状態を選択することができる。例えば、待機状態の場合、第１位置決め状態（図７）とすれば、実施の形態２（図５）と同様の状態となる。また、動作状態の場合、第２位置決め状態（図８）とすれば、実施の形態２（図６）と同様の状態となる。
【０１０６】
第１位置決め状態、つまり、第１可動ダクト壁２７０および第２可動ダクト壁２７２が図７の状態とされた場合、第１可動ダクト壁２７０は、吹き出し口２５８Ａを閉鎖している。したがって、ファン空気流ＡＦｆが発生した状態の空気清浄装置２００Ａでは、吸入孔２５４ｈ→吸入ダクト２５６→ファンユニット２５２の内側に配置されたイオン発生素子２６６の近傍→ファン吹き出し口２６０→（ダクト空気流ＡＦｄｔ）→吹き出し口２５８という経路で空気が流れ、垂直上側方向を向くように放出空気流ＡＦｏｕｔを発生させることができる。
【０１０７】
また、第２位置決め状態、つまり、第１可動ダクト壁２７０および第２可動ダクト壁２７２が図８の状態とされた場合、第１可動ダクト壁２７０は、吹き出し口２５８Ａを開放し、第２可動ダクト壁２７２は、吹き出し口２５８を閉鎖する。したがって、ファン空気流ＡＦｆが発生した状態の空気清浄装置２００Ａでは、吸入孔２５４ｈ→吸入ダクト２５６→ファンユニット２５２の内側に配置されたイオン発生素子２６６の近傍→ファン吹き出し口２６０→（ダクト空気流ＡＦｄｔ）→吹き出し口２５８Ａという経路で空気が流れて斜め下方向に放出される。
【０１０８】
空気清浄装置２００Ａは、空気清浄装置２００Ａの底面中央に連結された支柱１９０Ａによって安定的に支持される。支柱１９０Ａには、空気放出方向制御部１４８Ａが配置され、回転軸２００ｓａを介して空気清浄装置２００Ａを水平方向で左右に首振り制御する構成とされている。なお、支柱１９０Ａは、画像形成装置１００（図９参照）に設けられる。空気放出方向制御部１４８Ａは、具体的には空気放出方向制御部１４８と同様、モータ駆動ユニットで構成されている。
【０１０９】
なお、空気放出方向制御部１４８Ａによる首振り制御は、画像形成装置１００の前面に対して、左右一定角度の範囲内での往復運動状態、右側一定角度の範囲での固定状態、左側一定角度の範囲での固定状態を実現することが可能な構成とされている。このような制御は、制御部１３０と連携するように配置されたプログラムメモリ１３８（図１６参照）に予め制御プログラムを記憶させておくことで実行することができる。
【０１１０】
＜実施の形態４＞
図９ないし図１１に基づいて、本実施の形態に係る画像形成装置について説明する。なお、本実施の形態に係る画像形成装置の基本的な構成は、実施の形態１に係る画像形成装置１００と同様であるので、符号を適宜援用し、主に異なる事項について説明する。また、本実施の形態に係る画像形成装置に適用される空気清浄装置の基本的な構成は、実施の形態３に係る空気清浄装置２００Ａと同様であるので、符号を適宜援用し、主に異なる事項について説明する。
【０１１１】
図９は、本発明の実施の形態４に係る画像形成装置での空気清浄装置の取り付け状態を示す斜視図である。
【０１１２】
本実施の形態に係る画像形成装置１００は、実施の形態３に係る空気清浄装置２００Ａを取り付けたものである。つまり、空気清浄装置２００Ａは、画像形成装置１００の外形部１００ｂの背面中央に配置された支柱１９０Ａの上端に中央部が安定的に支持されている。
【０１１３】
なお、斜め下方側へ向けて放出された空気流（空気放出方向）の状態を放出空気流ＡＦｏｄとして示す。この場合の空気流（空気放出方向）は、図２（Ａ）とほぼ同様の状態となっている。
【０１１４】
図１０は、図９に示した空気清浄装置の空気放出方向の第１開閉状態を模式的に示す模式側面図である。なお、図７に示した空気清浄装置（第１開閉状態）の断面に対応させた透視側面を示す。
【０１１５】
制御部１３０は、画像形成装置１００を例えば待機状態に設定した場合、ダクト壁制御部１５４（図１６参照）を介してモータで構成されるダクト壁駆動部２３０（図１６参照）を駆動制御する。ダクト壁駆動制御部２３０は、第１可動ダクト壁２７０の駆動軸２７０ｓ、および第２可動ダクト壁２７２の駆動軸２７２ｓを同時に回転させ、第１可動ダクト壁２７０および第２可動ダクト壁２７２を第１位置決め状態（図７参照）に位置決めする。
【０１１６】
したがって、正負イオンを含有する空気流は、空気清浄装置２００の吹き出し口２５８から垂直上側方向を向く放出空気流ＡＦｏｕｔとして放出される。垂直上側方向へ向けて放出された放出空気流ＡＦｏｕｔは、空間の上方へ上昇した後、空間全体に分散（拡散）するので、正負イオンが室内全体に流れて拡散し、空気の浄化が効果的になされる。
【０１１７】
ファン２６８は、上述したとおり、モータで構成されるファン駆動部２１０（図１６参照）により回転駆動される。したがって、ファン２６８の回転速度を速くすることにより、空気清浄装置２００Ａからの空気の放出速度および放出量を増大させ、正負イオンの放出範囲をより広げることが可能となる。
【０１１８】
図１１は、図９に示した空気清浄装置の空気放出方向の第２開閉状態を模式的に示す模式側面図である。なお、図８に示した空気清浄装置（第２開閉状態）の断面に対応させた透視側面を示す。
【０１１９】
制御部１３０は、画像形成装置１００を例えば動作状態に設定した場合、ダクト壁制御部１５４（図１６参照）を介してモータで構成されるダクト壁駆動部２３０（図１６参照）を駆動制御する。ダクト壁駆動制御部２３０は、第１可動ダクト壁２７０の駆動軸２７０ｓ、および第２可動ダクト壁２７２の駆動軸２７２ｓを同時に回転させ、第１可動ダクト壁２７０および第２可動ダクト壁２７２を第２位置決め状態（図８参照）に位置決めする。
【０１２０】
したがって、正負イオンを含有する空気流は、空気清浄装置２００の吹き出し口２５８Ａから斜め下向き方向（画像形成装置１００の上面方向）の放出空気流ＡＦｏｕｔとして放出される。斜め下向き方向へ向けて放出された放出空気流ＡＦｏｕｔは、画像形成装置１００の周囲、特に画像形成装置１００（外形部１００ｂ）の前面を被覆するので、正負イオンが画像形成装置１００からの排出ガスを処理（清浄化）し、利用者周辺の排出ガスの処理が効果的になされる。
【０１２１】
ファン２６８は、上述したとおり、モータで構成されるファン駆動部２１０（図１６参照）により回転駆動される。したがって、ファン２６８の回転速度を遅くすることにより、空気清浄装置２００Ａからの空気の放出速度および放出量を抑制し、正負イオンを緩やかに拡散させて、画像形成装置１００（外形部１００ｂ）の前面を正負イオンにより確実に覆うようにすることが可能となる。
【０１２２】
上述したとおり、本実施の形態に係る画像形成装置１００は、空気清浄装置２００Ａを適用することができる。したがって、画像形成装置１００の待機状態および動作状態に応じて正負イオンの放出方向、放出量を変更することが可能である。つまり、待機状態のときには空気（空間の空気）の浄化を行い、動作状態のときには排出ガスに対する処理を施すことができる。
【０１２３】
＜実施の形態５＞
図１２ないし図１５に基づいて、本実施の形態に係る画像形成装置について説明する。
なお、本実施の形態に係る画像形成装置、空気清浄装置の基本的な構成は、実施の形態１ないし実施の形態４に係る画像形成装置１００、空気清浄装置２００、空気清浄装置２００Ａと同様であるので、符号を適宜援用し、主に異なる事項について説明する。なお、空気清浄装置として、空気清浄装置２００および空気清浄装置２００Ａのいずれを適用するかは、適宜選択することが可能である。
【０１２４】
図１２は、本発明の実施の形態５に係る画像形成装置の空間での配置状況を示すレイアウト図である。
【０１２５】
本実施の形態に係る画像形成装置１００は、例えばオフィスルーム（オフィス空間。以下、単に「空間」とすることもある。）の適宜の位置に配置される。画像形成装置１００は、オフィスルームの例えば一壁面に沿った中央領域に配置された状態とされている。
【０１２６】
オフィスルームには、画像形成装置１００の他に、例えば、端末装置としてのパーソナルコンピュータ（ＰＣ）、端末装置ＰＣに接続されたイオン濃度検知装置（ＩＣ）が配置されている。端末装置ＰＣは、端末装置ＰＣ１から端末装置ＰＣ１８までの１８台が配置され、イオン濃度検知装置ＩＣは、例えばＵＳＢ端子（Ｕｎｉｖｅｒｓａｌ  Ｓｅｒｉａｌ  Ｂｕｓ  端子）を介して各端末装置ＰＣにそれぞれ接続されている。つまり、イオン濃度検知装置ＩＣ１からイオン濃度検知装置ＩＣ１８までの１８個が各端末装置ＰＣに対応させて配置されている。
【０１２７】
１８台の端末装置ＰＣ（端末装置ＰＣ１〜端末装置ＰＣ１８。なお、以下、端末装置ＰＣ１〜端末装置ＰＣ１８を特に区別して記載する必要がないときは、単に端末装置ＰＣと記載することがある。）は、例えばＬＡＮで構成されたネットワークＮＷを介して、サーバー５００に接続され、サーバー５００は、ネットワークＮＷを介して画像形成装置１００に接続されている。したがって、端末装置ＰＣは、画像形成装置１００に対して通信することが可能な構成とされている。
【０１２８】
また、イオン濃度検知装置ＩＣ（イオン濃度検知装置ＩＣ１〜イオン濃度検知装置ＩＣ１８。なお、以下、イオン濃度検知装置ＩＣ１〜イオン濃度検知装置ＩＣ１８を特に区別して記載する必要がないときは、単にイオン濃度検知装置ＩＣと記載することがある。）は、対応する端末装置ＰＣを介して画像形成装置１００に接続され、画像形成装置１００に対する通信が可能な状態とされている。したがって、画像形成装置１００は、適宜のタイミングでイオン濃度検知装置ＩＣが検出したイオン濃度値（イオン濃度データ）をイオン濃度検知装置ＩＣから取得することができる。イオン濃度検知装置ＩＣからのイオン濃度値を取得するタイミングとして、定期的に取得すること、画像形成装置１００の動作状況（稼働中、停止中、スリープ状態など）に応じて適宜のタイミングで取得することなど、予め種々のタイミングをプログラムで設定しておくことが可能である。定期的に取得することにした場合は、イオン濃度の変化に対して空気清浄装置を迅速に機能させて、迅速なイオン放出制御を実行することができる。
【０１２９】
なお、端末装置ＰＣの配置、イオン濃度検知装置ＩＣの配置、画像形成装置１００の配置、サーバー５００の配置は例示であり、種々のレイアウトが可能である。また、イオン濃度検知装置ＩＣは、全ての端末装置ＰＣに対応させる必要は無く、空間でのイオン濃度に対する適宜のサンプリングができるように適宜の位置に選択的に配置することが可能である。空間を均等に分割して、分割した領域の適宜の端末装置ＰＣにイオン濃度検知装置ＩＣを接続する形態とすることができる。
【０１３０】
イオン濃度検知装置ＩＣは、周囲の空気中のイオン濃度を検知（測定）し、イオン濃度値として画像形成装置１００が備えるイオン濃度値収集部１４０（図１６参照）にデータを送信する。逆に言えば、画像形成装置１００のイオン濃度値収集部１４０は、イオン濃度検知装置ＩＣからイオン濃度値を取得する。
【０１３１】
なお、イオン濃度検知装置ＩＣは、端末装置ＰＣのＵＳＢ端子を利用して容易に着脱できる構成とされている。
【０１３２】
図１３は、図１２に示した画像形成装置の配置状況を区分領域に対応させて示すレイアウト図である。
【０１３３】
図１４は、図１３に示した空間での画像形成装置およびイオン濃度検知装置の配置状況を区分領域に対応させて示す一覧表である。なお、図１４では、便宜上、イオン濃度検知装置ＩＣをイオンカウンタＩＣとして示し、また、イオンカウンタＩＣは一部のみを示している。
【０１３４】
空気清浄装置２００が作用する領域ＬＡ（空間ＬＡ）としての空間を例えばマトリックス（ｍ行ｎ列）状の複数の区分に分割して、区分領域ＬＡｍｎ（配置場所）に分けた状態を示す。つまり、区分領域ＬＡｍｎは、領域ＬＡ１１、区分領域ＬＡ１２、区分領域ＬＡ１３、区分領域ＬＡ２１、区分領域ＬＡ２２、区分領域ＬＡ２３、区分領域ＬＡ３１、区分領域ＬＡ３２、区分領域ＬＡ３３の９区分で構成されている。なお、以下では、区分領域ＬＡｍｎ（ｍ＝１〜３、ｎ＝１〜３）のそれぞれを特に区別する必要がないときは、単に区分領域ＬＡｍｎとして、全部または個々の区分を示すことがある。
【０１３５】
このように区分領域ＬＡｍｎを画定することによって、端末装置ＰＣ、イオン濃度検知装置ＩＣ（なお、図１４では、イオン濃度検知装置ＩＣは、選択的に示している。）の配置状態を容易にデータ化することが可能となり、画像形成装置１００に対するイオン濃度検知装置ＩＣの位置関係を容易に画定することができる。
【０１３６】
つまり、画像形成装置１００は、位置関係画定部１４２（図１６参照）を備え、位置関係画定部１４２は、画像形成装置１００に対するイオン濃度検知装置ＩＣの位置関係を画定する。
【０１３７】
本実施の形態では、サーバー５００は、区分領域ＬＡ１１に配置され、画像形成装置１００（空気清浄装置２００）は、区分領域ＬＡ１２に配置されている。また、端末装置ＰＣ１、端末装置ＰＣ２は、区分領域ＬＡ２１に、端末装置ＰＣ３、端末装置ＰＣ４は、区分領域ＬＡ２２に、端末装置ＰＣ５、端末装置ＰＣ６は、区分領域ＬＡ２３に配置されている。端末装置ＰＣ１３、端末装置ＰＣ１４は、区分領域ＬＡ３１に、端末装置ＰＣ１５、端末装置ＰＣ１６は、区分領域ＬＡ３２に、端末装置ＰＣ１７、端末装置ＰＣ１８は、区分領域ＬＡ３３に配置されている。さらに、端末装置ＰＣ７、端末装置ＰＣ８、端末装置ＰＣ９、端末装置ＰＣ１０、端末装置ＰＣ１１、端末装置ＰＣ１２は、各列に対応させて、第２行と第３行とにまたがって配置されている。
【０１３８】
いずれの区分領域ＬＡｍｎにイオン濃度検知装置ＩＣを配置したか、また、画像形成装置１００をいずれの区分領域ＬＡｍｎに配置したかは、操作パネル１３２（図１６参照）から予め設定入力する構成とすることができる。設定入力されたイオン濃度検知装置ＩＣの区分領域ＬＡｍｎ（例えば、区分領域ＬＡ２１、区分領域ＬＡ２２、区分領域ＬＡ２３、区分領域ＬＡ３１、区分領域ＬＡ３２、区分領域ＬＡ３３）、および画像形成装置１００の区分領域ＬＡｍｎ（区分領域ＬＡ１２）は、画像形成装置１００に対するイオン濃度検知装置ＩＣの位置関係を画定する位置関係画定部１４２に登録しておくことによって、相互の位置関係を画定することができる。
【０１３９】
なお、位置関係画定部１４２は、画像形成装置１００が有する記憶装置（例えば、一時データ記憶部１３６）によって適宜構成することができる。位置関係画定部１４２は、例えば、図１４に示した一覧表の形式で位置関係を登録することができる。
【０１４０】
イオン濃度検知装置ＩＣは、区分領域ＬＡｍｎのそれぞれに対応させて少なくとも１個配置する構成とすることができる。このように構成したときは、区分領域ＬＡｍｎのそれぞれに対応させて空気清浄装置２００を作用させることが可能となり、高精度に空気の浄化を図ることができる。なお、イオン濃度検知装置ＩＣは、適宜の区分領域ＬＡｍｎを選択して間欠的に配置することも可能である。
【０１４１】
上述したとおり、本実施の形態に係る画像形成装置１００では、領域ＬＡは複数に区分されて区分領域ＬＡｍｎを構成してあり、イオン濃度検知装置ＩＣおよび端末装置ＰＣは、複数の区分領域ＬＡｍｎそれぞれに対応させてある。したがって、画像形成装置１００は、区分領域ＬＡｍｎに対応させてイオン濃度、さらには、端末装置ＰＣの動作状況を把握することが可能となり、高精度に空気清浄装置２００を制御することができる。
【０１４２】
図１５は、図１２に示した画像形成装置の水平方向での往復回動を説明する斜視図である。
【０１４３】
空気清浄装置２００Ａは、画像形成装置１００の本体に対して、水平方向で左右に回転するように構成されている。空気清浄装置２００Ａの底面は、支柱１９０Ａの上端部を支点にして取り付けられている。また、支柱１９０Ａの上端部には、空気放出方向制御部１４８Ａが配置されている。空気放出方向制御部１４８は、具体的にはモータ駆動ユニットで構成されている。したがって、空気清浄装置２００Ａは、空気放出方向制御部１４８Ａ、回転軸２００ｓａ（図７、図８参照）によって、適宜の回転角度で回動することができる。つまり、空気清浄装置２００Ａは、水平方向での往復回動Ｒｏｔｈで左右に首振り回転することができる。
【０１４４】
なお、図２に示した空気清浄装置２００（実施の形態１）の場合は、既に説明したとおり、支柱１９０の上方で、垂直方向での往復回動Ｒｏｔｖで回転することによって、画像形成装置１００の前方（前面側）に正負イオンを放射させることができる。
【０１４５】
＜実施の形態６＞
図１６および図１７に基づいて、本実施の形態に係る画像形成装置、および画像形成装置による空気清浄方法について説明する。なお、本実施の形態に係る画像形成装置、空気清浄装置の基本的な構成は、実施の形態１ないし実施の形態５に係る画像形成装置１００、空気清浄装置２００、空気清浄装置２００Ａと同様であるので、符号を適宜援用し、主に異なる事項について説明する。
【０１４６】
なお、空気清浄装置として、空気清浄装置２００および空気清浄装置２００Ａのいずれを適用するかは、適宜選択することが可能である。以下では、便宜上いずれか一方のみについて説明することがある。
【０１４７】
図１６は、本発明の実施の形態６に係る画像形成装置の機能ブロックを概念的にブロック図である。
【０１４８】
画像形成装置１００は、制御部１３０、操作パネル１３２、インターフェース１３４を備える。画像形成装置１００は、インターフェース１３４を介してネットワークＮＷに接続され、サーバー５００、端末装置ＰＣ、イオン濃度検知装置ＩＣと通信することができる。端末装置ＰＣおよびイオン濃度検知装置ＩＣは、区分領域ＬＡｍｎに対応して配置されている。なお、区分領域ＬＡｍｎは、予め一時データ記憶部１３６へ記憶させておくことができる。
【０１４９】
制御部１３０は、ＣＰＵ（中央処理装置）で構成され、プログラムメモリ１３８に予め登録されたプログラムに基づいて他の機能ブロックと連携して動作し、あるいは、単独で動作して、画像形成装置１００の機能、空気清浄装置２００（空気清浄装置２００Ａ）の機能など種々の機能を実行することができる。また、イオン濃度検知装置ＩＣが検知したイオン濃度値は、一時データとして一時データ記憶部１３６で記憶される。
【０１５０】
画像形成装置１００は、制御部１３０に関連して機能するイオン濃度値収集部１４０、位置関係画定部１４２、動作状況検知部１４４を備える。なお、イオン濃度値収集部１４０、位置関係画定部１４２、動作状況検知部１４４は、制御部１３０が実現する機能として設定することが可能である。
【０１５１】
イオン濃度値収集部１４０は、空気清浄装置２００が作用する領域ＬＡ（区分領域ＬＡｍｎ）に配置されたイオン濃度値収集部１４０によって検知されたイオン濃度値を収集する。
【０１５２】
位置関係画定部１４２は、空気清浄装置２００（画像形成装置１００）に対するイオン濃度検知装置ＩＣの位置関係を画定する。つまり、位置関係画定部１４２は、例えば一時データ記憶部１３６に記憶された区分領域ＬＡｍｎ（配置場所）を適用してイオン濃度検知装置ＩＣの位置を認識（図１４参照）することが可能となるので、空気清浄装置２００の作用方向を対象とするイオン濃度検知装置ＩＣの方向へ向けるように制御することが可能となる。
【０１５３】
動作状況検知部１４４は、端末装置ＰＣの動作状況を検知する。端末装置ＰＣの動作状況は、例えば端末装置ＰＣの電源状態、キーボードの操作状態などを適宜の手段で検知することによって実行することができる。
【０１５４】
清浄動作制御部１４６は、空気清浄装置２００からのイオン放出の状態を制御する。具体的には、制御部１３０が実現する機能として設定することが可能である。プログラムメモリ１３８に予め登録されたプログラムを適用して実現することができる。代表的な機能として、空気放出方向制御部１４８（１４８Ａ）、ファン制御部１５０、イオン発生素子制御部１５２、ダクト壁制御部１５４（空気清浄装置２００Ａに対応）を備えている。
【０１５５】
また、空気清浄装置２００（空気清浄装置２００Ａ）は、ファン駆動部２１０、イオン発生素子駆動部２２０、ダクト壁駆動部２３０を備える。ファン駆動部２１０、イオン発生素子駆動部２２０、ダクト壁駆動部２３０は、清浄動作制御部１４６（空気放出方向制御部１４８（１４８Ａ）、ファン制御部１５０、イオン発生素子制御部１５２、ダクト壁制御部１５４）と連携して対応する処理を実現する。
【０１５６】
空気放出方向制御部１４８は、空気清浄装置２００が放出する空気流（例えば、実施の形態１、図２（Ａ）の放出空気流ＡＦｏｄ、あるいは、図２（Ｂ）の放出空気流ＡＦｏｄ）の方向を図２（Ａ）あるいは図２（Ｂ）の間で切り替えること、またはこの２つの間での往復回動を行わせることなどを制御することができる。また、空気放出方向制御部１４８Ａは、空気清浄装置２００Ａ（例えば、実施の形態３、図７、図８、図９）に対して適用され、空気清浄装置２００を水平方向（例えば、実施の形態５、図１５）で左右に首振り制御させることができる。
【０１５７】
ファン制御部１５０は、ファン駆動部２１０を駆動して、ファン２６８の回転数を制御する。ファン２６８の回転数を制御することによって、空気清浄装置２００から排出される放出空気流を調整して、空気中へ放出される正負イオンの量を調整することができる。
【０１５８】
イオン発生素子制御部１５２は、イオン発生素子駆動部２２０を制御してイオン発生素子２６６の動作状態を制御する。したがって、制御部１３０（清浄動作制御部１４６、イオン発生素子制御部１５２、イオン発生素子駆動部２２０）によって、正負イオンの発生量を制御することができる。
【０１５９】
ダクト壁制御部１５４は、空気清浄装置２００Ａ（図７、図８、図１０、図１１参照）に対して適用される。ダクト壁制御部１５４は、ダクト壁駆動部２３０を制御して、第１可動ダクト壁２７０および第２可動ダクト壁２７２の位置を制御し、第１位置決め状態（図７）および第２位置決め状態（図８）のいずれかを選択する制御を実行する。
【０１６０】
図１７は、本発明の実施の形態６に係る画像形成装置での検出したイオン濃度に対する清浄動作制御の処理状態を示すフローチャートである。
【０１６１】
画像形成装置１００（制御部１３０）は、予めプログラムメモリ１３８に登録されたプログラムなどに基づいて各部（各機能ブロック）と連携することによってステップＳ１０からステップＳ２６までの処理を行う構成とされている。
【０１６２】
ステップＳ１０：
制御部１３０およびイオン濃度値収集部１４０は、インターフェース１３４、サーバー５００、端末装置ＰＣを介してイオン濃度検知装置ＩＣとの間で通信を行い、イオン濃度検知装置ＩＣが検知したイオン濃度値を取得、収集する。収集されたイオン濃度値は、適宜一時データ記憶部１３６で記憶され、以降のステップで演算処理を施される。
【０１６３】
つまり、本ステップは、空気清浄装置２００（空気清浄装置２００Ａ）が作用する領域ＬＡ（区分領域ＬＡｍｎ）に配置されたイオン濃度検知装置ＩＣによって検知されたイオン濃度値を取得するイオン濃度値取得ステップである。
【０１６４】
なお、イオン濃度値の収集は、例えば、定期的に収集するように予めプログラムしておくことが可能である。また、イオン濃度値の収集は、画像形成装置１００の動作状況（画像を形成する稼働状態、あるいは、画像を形成する稼働状態とは異なる待機状態など）に対応させて実行させる形態とすることができる。
【０１６５】
画像形成装置１００は、イオン濃度検知装置ＩＣが接続され領域ＬＡ（区分領域ＬＡｍｎ）に配置された端末装置ＰＣを介してイオン濃度値を収集する構成とされている。したがって、画像形成装置１００は、イオン濃度検知装置ＩＣが接続された端末装置ＰＣを介してイオン濃度値を収集することから、イオン濃度検知装置ＩＣに対する接続を簡略化することができる。
【０１６６】
ステップＳ１２：
制御部１３０は、プログラムメモリ１３８に記憶された処理フローに基づいて、収集したイオン濃度値と予め設定された基準値とを比較する。なお、基準値は、操作パネル１３２から適宜基準値として入力して設定することができ、例えば一時データ記憶部１３６へ記憶させておくことができる。また、基準値は、単一の値ではなく、適宜の範囲内として設定することができる。
【０１６７】
ステップＳ１４：
制御部１３０は、収集したイオン濃度値が基準値より大きいか否かを判定する。イオン濃度値が基準値より大きい場合（ステップＳ１４：ＹＥＳ）は、ステップＳ１６へ進む。イオン濃度値が基準値より小さい場合（ステップＳ１４：ＮＯ）は、ステップＳ１８へ進む。
【０１６８】
ステップＳ１６：
基準値より大きいイオン濃度値を示した該当する区分領域ＬＡｍｎを抽出する。つまり、位置関係画定部１４２は、記憶されている空気清浄装置２００（画像形成装置１００）とイオン濃度検知装置ＩＣとの位置関係（配置状態）に基づいて、対象となっているイオン濃度検知装置ＩＣの空気清浄装置２００（画像形成装置１００）に対する位置関係を画定する。その後、ステップＳ２０へ進む。
【０１６９】
つまり、本ステップは、画像形成装置１００に対するイオン濃度検知装置ＩＣの位置関係を画定する位置関係画定ステップである。
【０１７０】
なお、画像形成装置１００に対するイオン濃度検知装置ＩＣの位置関係は、位置関係画定部１４２に記憶する形態として説明したが、イオン濃度検知装置ＩＣがサーバー５００を介して通信できる状態とされている場合は、例えばサーバー５００に位置関係を登録させることも可能である。位置関係画定部１４２は、サーバー５００に登録した位置関係を読み出して画像形成装置１００に対するイオン濃度検知装置ＩＣの位置関係を画定することが可能である。
【０１７１】
ステップＳ１８：
制御部１３０は、収集したイオン濃度値が基準値より小さいか否かを判定する。イオン濃度値が基準値より小さい場合（ステップＳ１８：ＹＥＳ）は、ステップＳ２２へ進む。イオン濃度値が基準値より大きい場合（ステップＳ１８：ＮＯ）は、ステップＳ２６へ進む。
【０１７２】
ステップＳ２０：
抽出した区分領域ＬＡｍｎに対して清浄動作制御部１４６による動作状態制御を実行する。つまり、画定した位置関係（ステップＳ１６）と収集したイオン濃度値（ステップＳ１０）との関係から空気清浄装置２００の動作状態を制御する。なお、イオン濃度値は、基準値より高いことから、本ステップでは正負イオンの発生を抑制する抑制制御を実行する。
【０１７３】
すなわち、イオン濃度値が高い場合であるから、制御部１３０（清浄動作制御部１４６）は、演算処理を行ってイオン濃度値を抑制する処理（抑制制御）を実行する。つまり、清浄動作制御部１４６は、イオン濃度値収集部１４０が収集したイオン濃度値と位置関係画定部１４２が画定した位置関係とに基づいて空気清浄装置２００の動作状態を制御して空間に供給されるイオン放出量を抑制する。
【０１７４】
例えば、全ての区分領域ＬＡｍｎのイオン濃度値が基準値より高い場合、空気清浄装置２００（イオン発生素子２６６）の動作を一時停止させる。例えば、イオン発生素子制御部１５２によってイオン発生素子駆動部２２０を制御し、イオン発生素子２６６を停止させる。イオン発生素子２６６の停止によって正負イオンの発生は停止する。イオン発生素子２６６の停止によって空間でのイオン濃度を抑制することから、区分領域ＬＡｍｎでのイオン濃度値は、適宜の値に抑制される。なお、イオン濃度検知装置ＩＣを周期的に機能させる場合は、一定時間後に次のイオン濃度値を収集して次の制御動作を決定することができる。
【０１７５】
また、特定の区分領域ＬＡｍｎ（例えば、区分領域ＬＡ２１）のイオン濃度値が基準値より高い場合、区分領域ＬＡ２１は、近い位置であるから、放出空気流ＡＦｏｕｔの方向を例えば上方側へ向けることによって正負イオンを遠方に拡散させること、放出空気流ＡＦｏｕｔの方向を例えば区分領域ＬＡ２１とは異なる区分領域ＬＡｍｎの方向へ向けることなどの対応が可能である。
【０１７６】
つまり、本ステップは、イオン濃度値取得ステップで取得したイオン濃度値と位置関係画定ステップで画定した位置関係とに基づいて空気清浄装置２００（空気清浄装置２００Ａ）の動作状態を制御する清浄動作制御ステップである。
【０１７７】
ステップＳ２２：
基準値より小さいイオン濃度値を示した該当する区分領域ＬＡｍｎを抽出する。つまり、位置関係画定部１４２は、空気清浄装置２００（画像形成装置１００）に対するイオン濃度検知装置ＩＣの位置関係を画定する。その後、ステップＳ２４へ進む。
【０１７８】
本ステップは、画像形成装置１００に対するイオン濃度検知装置ＩＣの位置関係を画定する位置関係画定ステップである。
【０１７９】
ステップＳ２４：
抽出した区分領域ＬＡｍｎに対して清浄動作制御部１４６による動作状態制御を実行する。なお、イオン濃度値は、基準値より低いことから、本ステップでは正負イオンの発生を増強する増強制御を実行する。
【０１８０】
すなわち、イオン濃度値が低い場合は、制御部１３０（清浄動作制御部１４６）は、演算処理を行ってイオン濃度値を増強する処理（増強制御）を実行する。つまり、清浄動作制御部１４６は、イオン濃度値収集部１４０が収集したイオン濃度値と位置関係画定部１４２が画定した位置関係とに基づいて空気清浄装置２００の動作状態を制御して空間に供給されるイオンを増強する。
【０１８１】
例えば、全ての区分領域ＬＡｍｎのイオン濃度値が基準値より低い場合、空気清浄装置２００の動作を増強させることができる。
【０１８２】
つまり、本ステップは、イオン濃度値取得ステップで取得したイオン濃度値と位置関係画定ステップで画定した位置関係とに基づいて空気清浄装置２００（空気清浄装置２００Ａ）の動作状態を制御する清浄動作制御ステップである。
【０１８３】
具体的には、放出空気流ＡＦｏｕｔの方向を例えば図２（Ｂ）、図５、図１０の場合のように上方側へ向けることによって正負イオンを空間全体に拡散させることができる。また、放出空気流ＡＦｏｕｔの方向を垂直方向（例えば、図２（Ａ）および図２（Ｂ）の間）または水平方向（例えば、図１５の往復回動Ｒｏｔｈ）でスイングさせることによって、全ての区分領域ＬＡｍｎに対する正負イオンの供給をより迅速に行うことも可能である。
【０１８４】
なお、空気放出方向だけでなく、イオン放出量を増強することも可能である。ファン２６８の回転数を上げること、イオン発生素子２６６の動作数を増やすことによってイオン放出量を増強することができる。
【０１８５】
また、例えば、区分領域ＬＡ３１のイオン濃度値が低い場合、空気清浄装置２００の空気放出方向を区分領域ＬＡ３１の方向へ向けることが可能である。また、区分領域ＬＡ３１は、遠方であるから、放出空気流ＡＦｏｕｔを上方側へ向けること、あるいは、イオン発生素子２６６の動作数を増やすことによって区分領域ＬＡ３１でのイオン放出量を増強することができる。
【０１８６】
また、例えば、区分領域ＬＡ２２のイオン濃度値のみが低い場合、空気清浄装置２００の空気放出方向を区分領域ＬＡ２２の方向へ向けることが可能である。また、区分領域ＬＡ２２は、近い区分であるから、放出空気流ＡＦｏｕｔを水平側へ向けることなどによって区分領域ＬＡ２２でのイオン放出量を増強することができる。なお、近い区分であることから、イオン発生素子２６６の動作数は、適宜制限することができる。
【０１８７】
ステップＳ２６：
イオン濃度検知装置ＩＣで検知したイオン濃度値は正常である（基準値の範囲内）であることから、空気清浄装置２００（イオン発生素子２６６）の動作状態を維持する。
【０１８８】
つまり、本ステップは、イオン濃度値取得ステップで取得したイオン濃度値と位置関係画定ステップで画定した位置関係とに基づいて空気清浄装置２００（空気清浄装置２００Ａ）の動作状態を制御（維持）する清浄動作制御ステップである。
【０１８９】
上述したとおり、本実施の形態に係る画像形成装置１００は、イオンを放出する空気清浄装置２００を備えた画像形成装置１００であって、空気清浄装置２００（空気清浄装置２００Ａ）が作用する領域ＬＡ（区分領域ＬＡｍｎ）に配置されたイオン濃度検知装置ＩＣによって検知されたイオン濃度値を収集するイオン濃度値収集部１４０と、空気清浄装置２００（画像形成装置１００）に対するイオン濃度検知装置ＩＣの位置関係を画定する位置関係画定部１４２と、イオン濃度値収集部１４０が収集したイオン濃度値と位置関係画定部１４２が画定した位置関係とに基づいて空気清浄装置２００の動作状態を制御する清浄動作制御部１４６とを備えることを特徴とする。
【０１９０】
したがって、画像形成装置１００は、空気清浄装置２００（空気清浄装置２００Ａ）を作用させる領域ＬＡでのイオン濃度値の状況に応じて空気清浄装置２００の動作状態を制御することから、空気清浄装置２００が作用する領域ＬＡに対してイオンを効果的に供給して分布させることができる。つまり、効果的に空気清浄装置２００を運転して空気状態を快適で衛生的な状態に維持することが可能となる。
【０１９１】
また、清浄動作制御部１４６は、空気清浄装置２００の空気放出方向、および、空気清浄装置２００のイオン放出量の少なくとも一方を制御する構成とされていることを特徴とする。
【０１９２】
したがって、画像形成装置１００は、空気放出方向を制御することによって、領域ＬＡ（区分領域ＬＡｍｎ）に対応させて空気清浄装置２００を作用させることができ、また、イオン放出量を制御することによって、領域ＬＡ（区分領域ＬＡｍｎ）でのイオン濃度に対応させて空気清浄装置２００を作用させることができるので、空気清浄化の対象である領域ＬＡ（区分領域ＬＡｍｎ）に対して必要性に応じて高精度に空気清浄装置２００を作用させることが可能となる。
【０１９３】
空気清浄装置２００は、空気放出方向制御部１４８によって、垂直方向（上下方向）に対する空気放出方向を回転制御することができる。空気清浄装置２００Ａは、空気放出方向制御部１４８Ａによって、水平左右方向に対する空気放出方向を回転制御し、ダクト壁制御部１５４およびダクト壁駆動部２３０によって、垂直方向（上下方向）に対する空気放出方向を切り替え制御することができる。
【０１９４】
また、イオン放出量は、風量を増やす（ファン２６８の回転数を増やす）こと、イオン発生素子２６６の動作数を変更することによって増減することができる。
【０１９５】
本実施の形態に係る空気清浄方法は、イオンを放出する空気清浄装置２００（空気清浄装置２００Ａ）を備えた画像形成装置１００による空気清浄方法であって、空気清浄装置２００が作用する領域ＬＡ（区分領域ＬＡｍｎ）に配置されたイオン濃度検知装置によって検知されたイオン濃度値を取得するイオン濃度値取得ステップと、画像形成装置１００に対するイオン濃度検知装置の位置関係を画定する位置関係画定ステップと、イオン濃度値取得ステップで取得したイオン濃度値と位置関係画定ステップで画定した位置関係とに基づいて空気清浄装置２００の動作状態を制御する清浄動作制御ステップとを備えることを特徴とする。
【０１９６】
したがって、画像形成装置１００による空気清浄方法は、空気清浄装置２００（空気清浄装置２００Ａ）を作用させる領域ＬＡでのイオン濃度値の状況に応じて空気清浄装置２００の動作状態を制御することから、空気清浄装置２００が作用する領域ＬＡに対してイオンを効果的に供給して分布させることができる。つまり、効果的に空気清浄装置２００を運転して空気状態を快適で衛生的な状態に維持することが可能となる。
【０１９７】
＜実施の形態７＞
図１８ないし図２０に基づいて、本実施の形態に係る画像形成装置、および画像形成装置の空気清浄方法について説明する。なお、本実施の形態に係る画像形成装置、空気清浄装置の基本的な構成は、実施の形態１ないし実施の形態６に係る画像形成装置１００、空気清浄装置２００、空気清浄装置２００Ａと同様であるので、符号を援用し、主に異なる事項について説明する。
【０１９８】
なお、本実施の形態は、端末装置ＰＣ（図１２、図１３参照）の動作状態に対応させた清浄動作制御を実行する形態であり、実施の形態６（図１７）のステップＳ１６（イオン濃度値が基準値より高い場合の区分領域の抽出）、ステップＳ２２（イオン濃度値が基準値より高い場合の区分領域の抽出）、ステップＳ１８（イオン濃度値が基準値を満たしている場合）の後に継続する処理として実行される。
【０１９９】
図１８は、本発明の実施の形態７に係る画像形成装置での端末装置の動作状況に対する清浄動作制御の処理状態（その１）を示すフローチャートである。
【０２００】
ステップＳ１６の後の処理について説明する。なお、ステップＳ１６で、イオン濃度値が高い区分領域ＬＡｍｎが抽出された状態である。したがって、イオン濃度値が高い区分領域に対する抑制制御を実行することになる。以下の処理フローは、単なる例示であり適宜その他の処理フローで処理することが可能である。
【０２０１】
ステップＳ３０：
抽出された区分領域ＬＡｍｎに対応する端末装置ＰＣが動作中か否かを判定する。動作中の場合（ステップＳ３０：ＹＥＳ）は、ステップＳ３２へ進む。動作していない場合（ステップＳ３０：ＮＯ）は、ステップＳ３４へ進む。
【０２０２】
なお、端末装置ＰＣが動作中か否かは、キー入力の状況などを検知して動作状況検知部１４４（図１６参照）で判定することができる。また、端末装置ＰＣが動作していない場合は、例えば操作者（人）は不在と判定し、端末装置ＰＣが動作している場合は、例えば操作者は在席と判定する。「動作中か否か」と「操作者が在席か不在か」との関連づけについては、適宜判定基準を設定することができる。ここでは、簡単のため、単に「動作中」は「操作者は在席」に対応させ、「停止中」は「操作者は不在」に対応させている。
【０２０３】
ステップＳ３２：
抽出した区分領域ＬＡｍｎに対して動作状態制御（端末装置ＰＣの動作状態に関連付けた抑制制御）を実行する。イオン濃度値が基準値より高く、端末装置ＰＣが動作状態（操作者は在席と判定）の場合であることから、「端末装置ＰＣの動作状態に関連付けた抑制制御」とは、イオン濃度値を基準値範囲内に収めるように抑制制御を実行することである。なお、本実施の形態では、本ステップは、ステップＳ２０と同様、清浄動作制御ステップとなる。
【０２０４】
すなわち、抽出した区分領域ＬＡｍｎのイオン濃度値が基準値より高い状態であり、また、端末装置ＰＣが動作中（操作者は在席）である。したがって、抽出した区分領域ＬＡｍｎでのイオン濃度値が標準値に収まるように動作状態を制御する。つまり、本ステップでは正負イオンの発生を抑制する抑制制御を実行する。なお、具体的な抑制制御は、ステップＳ２０と同様に実行することができる。
【０２０５】
ステップＳ３４：
抽出した区分領域ＬＡｍｎに対して動作状態制御（端末装置ＰＣの動作状態（停止状態）に関連付けた抑制制御）を実行する。イオン濃度値が基準値より高く、端末装置ＰＣが停止状態（操作者は不在と判定）の場合であることから、「端末装置ＰＣの動作状態（停止状態）に関連付けた抑制制御」とは、イオン濃度値を基準値範囲内または基準値未満に収めるように抑制制御を実行することである。なお、本実施の形態では、本ステップは、ステップＳ２０と同様、清浄動作制御ステップとなる。
【０２０６】
すなわち、抽出した区分領域ＬＡｍｎのイオン濃度値が基準値より高い状態であり、また、端末装置ＰＣが停止中（操作者が不在）である。したがって、抽出した区分領域ＬＡｍｎでのイオン濃度値が標準値または基準値未満に収まるように動作状態を制御する。つまり、本ステップでは正負イオンの発生を抑制する抑制制御を実行する。なお、具体的な抑制制御は、ステップＳ２０と同様に実行することができる。
【０２０７】
抽出した区分領域ＬＡｍｎ（例えば、区分領域ＬＡ２２）に対応する端末装置ＰＣ（例えば、端末装置ＰＣ３、端末装置ＰＣ４）が停止中であるとき、区分領域ＬＡ２２の方向に対しては空気清浄装置２００の動作を停止して、区分領域ＬＡ２２以外の他の区分領域ＬＡｍｎに対して空気清浄装置２００を機能させるように制御することも可能である。
【０２０８】
なお、区分領域ＬＡ２２以外の他の区分領域ＬＡｍｎに対して空気清浄装置２００を機能させるときの具体例としては、区分領域ＬＡ２２は区分領域ＬＡｍｎの中央部であることから、空気清浄装置２００を左右に首振り動作させることが可能である。
【０２０９】
図１９は、本発明の実施の形態７に係る画像形成装置での端末装置の動作状況に対する清浄動作制御の処理状態（その２）を示すフローチャートである。
【０２１０】
ステップＳ２２の後の処理について説明する。なお、ステップＳ２２で、イオン濃度値が低い区分領域ＬＡｍｎが抽出された状態である。したがって、イオン濃度値が低い区分領域に対する抑制制御を実行することになる。以下の処理フローは、単なる例示であり適宜その他の処理フローで処理することが可能である。
【０２１１】
ステップＳ４０：
抽出された区分領域ＬＡｍｎに対応する端末装置ＰＣが動作中か否かを判定する。動作中の場合（ステップＳ４０：ＹＥＳ）は、ステップＳ４２へ進む。動作していない場合（ステップＳ４０：ＮＯ）は、ステップＳ４４へ進む。
【０２１２】
なお、端末装置ＰＣが動作中か否かは、上述したとおり、キー入力の状況などを検知して判定することができる。ステップＳ３０と同様に処理することができる。
【０２１３】
ステップＳ４２：
抽出した区分領域ＬＡｍｎに対して動作状態制御（端末装置ＰＣの動作状態に関連付けた抑制制御）を実行する。イオン濃度値が基準値より低く、端末装置ＰＣが動作状態（操作者は在席と判定）の場合であることから、「端末装置ＰＣの動作状態に関連付けた抑制制御」とは、イオン濃度値を基準値範囲内に収めるように増強制御を実行することである。なお、本実施の形態では、本ステップは、ステップＳ２４と同様、清浄動作制御ステップとなる。
【０２１４】
すなわち、抽出した区分領域ＬＡｍｎのイオン濃度値が基準値より低い状態であり、また、端末装置ＰＣが動作中（操作者は在席）である。したがって、抽出した区分領域ＬＡｍｎでのイオン濃度値が標準値に収まるように動作状態を制御する。つまり、本ステップでは正負イオンの発生を増強する増強制御を実行する。なお、具体的な増強制御は、ステップＳ２４と同様に実行することができる。
【０２１５】
ステップＳ４４：
抽出した区分領域ＬＡｍｎに対して動作状態制御（端末装置ＰＣの動作状態（停止状態）に関連付けた抑制制御）を実行する。イオン濃度値が基準値より低く、端末装置ＰＣが停止状態（操作者が不在と判定）の場合であることから、「端末装置ＰＣの動作状態（停止状態）に関連付けた抑制制御」とは、イオン濃度値を基準値範囲内または基準値未満に収めるように抑制制御を実行することである。なお、本実施の形態では、本ステップは、ステップＳ２０と同様、清浄動作制御ステップとなる。
【０２１６】
すなわち、抽出した区分領域ＬＡｍｎのイオン濃度値が基準値より低い状態であり、また、端末装置ＰＣが停止中（操作者は不在）である。したがって、抽出した区分領域ＬＡｍｎでのイオン濃度値が標準値または基準値未満に収まるように動作状態を制御する。つまり、本ステップでは正負イオンの発生を抑制する抑制制御を実行する。なお、具体的な抑制制御は、ステップＳ２０と同様に実行することができる。
【０２１７】
例えば、区分領域ＬＡ３１に配置されたイオン濃度検知装置ＩＣ１３、イオン濃度検知装置ＩＣ１４のイオン濃度値が基準値より低く、また、区分領域ＬＡ３１に対応する端末装置ＰＣ１３、端末装置ＰＣ１４は、停止状態である場合、動作状態を維持すること、あるいは、区分領域ＬＡ３１に空気放出方向を向けた場合は、ファン２６８の回転数を低減することによって、または、イオン発生素子２６６の動作数を低減することにイオン放出量を抑制する。
【０２１８】
図２０は、本発明の実施の形態７に係る画像形成装置での端末装置の動作状況に対する清浄動作制御の処理状態（その３）を示すフローチャートである。
【０２１９】
ステップＳ１８でイオン濃度値が基準値を満たしている場合（ステップＳ１８：ＮＯ）の後の処理について説明する。イオン濃度値が基準値を満たしていない場合は、ステップＳ１６、ステップＳ２２で該当する区分領域ＬＡｍｎを抽出していることから、イオン濃度値が基準値を満たしている場合は、イオン濃度値に関連させて区分領域ＬＡｍｎを特定するステップは設けていない。また、端末装置ＰＣの停止状態に関連させて区分領域ＬＡｍｎを画定する。なお、以下の処理フローは、単なる例示であり適宜その他の処理フローで処理することが可能である。
【０２２０】
ステップＳ５０：
端末装置ＰＣが動作中か否かを判定する。動作中の場合（ステップＳ５０：ＹＥＳ）は、ステップＳ５２へ進む。動作していない場合（ステップＳ５０：ＮＯ）は、ステップＳ５４へ進む。
【０２２１】
なお、端末装置ＰＣが動作中か否かは、上述したとおり、キー入力の状況などを検知して判定することができる。ステップＳ３０と同様に処理することができる。
【０２２２】
ステップＳ５２：
動作状態制御（端末装置ＰＣの動作状態に関連付けた抑制制御）を実行する。イオン濃度値が基準値を満たしており、端末装置ＰＣが動作状態（操作者は在席と判定）の場合であることから、そのまま動作状態を維持する。端末装置ＰＣが動作状態の場合であることから、「端末装置ＰＣの動作状態に関連付けた抑制制御」とは、動作状態を維持することである。なお、本実施の形態では、本ステップは、清浄動作制御ステップとなる。
【０２２３】
ステップＳ５４：
まず、停止状態の端末装置ＰＣが配置されている区分領域ＬＡｍｎを予め抽出（画定）しておく。端末装置ＰＣが停止状態（操作者は不在と認定）の場合であることから、動作状態を維持するか、あるいは、端末装置ＰＣに対応する区分領域ＬＡｍｎに対して動作状態制御（端末装置ＰＣの動作状態（停止状態）に関連付けた抑制制御）を実行する。
【０２２４】
イオン濃度値が基準値を満たし、端末装置ＰＣが停止状態（操作者は不在と判定）の場合であることから、「端末装置ＰＣの動作状態（停止状態）に関連付けた抑制制御」とは、イオン濃度値を基準値範囲内または基準値未満に収めるように抑制制御を実行することである。なお、本実施の形態では、本ステップは、ステップＳ２０と同様、清浄動作制御ステップとなる。
【０２２５】
区分領域ＬＡｍｎに対応する端末装置ＰＣは、停止状態（操作者は不在）であることから、空気清浄装置２００は、動作状態を維持すること、あるいは、停止させることが可能である。また、全ての端末装置ＰＣが停止状態となっている場合は、空気清浄装置２００の空気放出方向を垂直方向では上下に往復回動させ、水平方向で左右に首振り回動させることによって、空間の空気状態を均一化し、また、イオン発生素子２６６の動作数を低減してイオン放出量を抑制し、イオン濃度を低減することが可能である。
【０２２６】
上述したとおり、本実施の形態に係る画像形成装置１００は、端末装置ＰＣの動作状況を検知する動作状況検知部１４４を備え、清浄動作制御部１４６は、動作状況検知部１４４が検知した端末装置ＰＣの動作状況に応じて空気清浄装置２００の動作状態を制御する構成とされている。
【０２２７】
したがって、画像形成装置１００は、端末装置ＰＣの動作状況によって端末装置ＰＣを操作する操作者の存否を判定して空気清浄装置２００の動作状態を制御することができる。つまり、端末装置ＰＣが動作していないときは操作者が不在であると判断して空気清浄装置２００の動作を例えば抑制するように制御し、端末装置ＰＣが動作しているときは操作者が在席していると判断して空気清浄装置２００の動作を例えば増強するように制御する。したがって、操作者が居る領域に対して効果的に空気清浄装置２００を作用させることが可能となるので、イオン濃度の制御を効率的に行うことができる。
【０２２８】
なお、ステップＳ３４、ステップＳ４４、ステップＳ５４のように、端末装置ＰＣが停止中の場合の空気清浄装置２００に対する制御として、イオン放出量を抑制すること、あるいは、イオン放出を停止することなどを予めプログラムとして組み込んでおくことが可能である。
【符号の説明】
【０２２９】
１００  画像形成装置
１０２  画像読取装置
１３０  制御部
１４０  イオン濃度値収集部
１４２  位置関係画定部
１４４  動作状況検知部
１４６  清浄動作制御部
１４８  空気放出方向制御部
１４８Ａ  空気放出方向制御部
１５０  ファン制御部
１５２  イオン発生素子制御部
１５４  ダクト壁制御部
１９０、１９０Ａ  支柱
２００、２００Ａ  空気清浄装置
２００ｓ、２００ｓａ  回転軸
２１０  ファン駆動部
２２０  イオン発生素子駆動部
２３０  ダクト壁駆動部
２５２  ファンユニット
２５２ｍ  吸入口
２５４  吸入面
２５４ｈ  吸入孔
２５６  吸入ダクト
２５８、２５８Ａ  吹き出し口
２６０  ファン吹き出し口
２６２  吹き出しダクト
２６６  イオン発生素子
２６６ｐ  正イオン発生部
２６６ｍ  負イオン発生部
２６８  ファン
２７０  第１可動ダクト壁
２７０ｓ  駆動軸
２７２  第２可動ダクト壁
２７２ｓ  駆動軸
５００  サーバー
ＡＦｄｔ  ダクト空気流
ＡＦｆ  ファン空気流
ＡＦｉｎ  流入空気流
ＡＦｏｄ、ＡＦｏｈ、ＡＦｏｕｔ、ＡＦｏｖ  放出空気流
ＩＣ  イオン濃度検知装置
ＬＡ  領域
ＬＡｍｎ  区分領域
ＭＶ１  第１開閉方向
ＭＶ２  第２開閉方向
ＰＣ  端末装置
Ｒｏｔｖ、Ｒｏｔｈ  往復回動
【図１】
2011064979.tif 000003
【図２】
2011064979.tif 000004
【図３】
2011064979.tif 000005
【図４】
2011064979.tif 000006
【図５】
2011064979.tif 000007
【図６】
2011064979.tif 000008
【図７】
2011064979.tif 000009
【図８】
2011064979.tif 000010
【図９】
2011064979.tif 000011
【図１０】
2011064979.tif 000012
【図１１】
2011064979.tif 000013
【図１２】
2011064979.tif 000014
【図１３】
2011064979.tif 000015
【図１４】
2011064979.tif 000016
【図１５】
2011064979.tif 000017
【図１６】
2011064979.tif 000018
【図１７】
2011064979.tif 000019
【図１８】
2011064979.tif 000020
【図１９】
2011064979.tif 000021
【図２０】
2011064979.tif 000022